(57)【特許請求の範囲】
【請求項１】
フラット型のディスプレイ部を壁面に固定する壁掛け機構を備えたフラットディスプレイ装置であって、
前記壁掛け機構は、
前記ディスプレイ部の背面の上または下端縁部近傍の第１の部分を、前記ディスプレイ部が所定の横中心軸の回りに回転自在となるように前記壁面に対して保持する保持手段と、
前記ディスプレイ部の背面の前記第１の部分から距離を隔てて設けられた第２の部分と前記壁面との間を所定距離を保って連結する連結手段とを備え、
前記所定距離を変更することで、前記所定の横中心軸を固定点として前記ディスプレイ部の背面と前記壁面とのなす角度を変更可能とし、
前記保持手段は、
前記ディスプレイ部の背面に対して突出するように前記第１の部分に配設された第１の支軸保持部と、
前記壁面に対して突出し、前記第１の部分に対応して配設された第２の支軸保持部と、
前記第１および第２の支軸保持部を連結するとともに前記ディスプレイ部の回転の前記横中心軸となる支軸とを備え、
前記連結手段は、
前記ディスプレイ部の背面に対して垂直に突出するように前記第２の部分に配設された第１の連結部と、
前記壁面に対して垂直に突出し、前記第２の部分に対応して配設された第２の連結部と、
前記第１および第２の連結部を前記所定距離を保って連結する連結部材とを備え、
前記連結部材は、
各辺の長さが異なる多角形状を有し、その一辺ごとに前記第１および第２の連結部に係合する１対の係合部を有し、
前記１対の係合部は、各辺の長さごとにそれぞれに合致した間隔で配設される、フラットディスプレイ装置。
【請求項２】
前記第１の支軸保持部および前記第１の連結部は、前記ディスプレイ部の背面に取付けられるディスプレイ取付け板の一部であって、
前記ディスプレイ取付け板は、前記ディスプレイ部の背面から突出するフック状の係合部に着脱可能に取付けられる、請求項１記載のフラットディスプレイ装置。
【発明の詳細な説明】
【０００１】
【発明の属する技術分野】
本発明は、プラズマディスプレイ装置、液晶ディスプレイ装置等のフラットディスプレイ装置に関し、特に壁掛け機構を備えたフラットディスプレイ装置に関する。
【０００２】
【従来の技術】
まず、図１１を用いてフラットディスプレイ装置の第１の従来例を説明する。図１１は特開平９−６２５０号公報に示されたフラットディスプレイ装置を示す図でありディスプレイ部が断面で示されている。
【０００３】
図１１においてディスプレイ部１０の背面には、当該ディスプレイ部１０の支持部を兼ねた信号供給部２１が取付けられ、信号供給部２１にはスタンド部２２が取付けられて信号供給部２１およびディスプレイ部１０を支える構成となっている。なお、ディスプレイ部１０と信号供給部２１との接合は、信号供給部２１に設けられたフック部６０をディスプレイ部１０の内部に挿入することでなされる。このような構成においてはディスプレイ部１０の上下の角度を変更することはできない。
【０００４】
次に、図１２を用いてフラットディスプレイ装置の第２の従来例を説明する。図１２に示すフラットディスプレイ装置は、壁掛け機構を備えており、ディスプレイ部の上下の角度を変更することができる。
【０００５】
図１２において、ディスプレイ部１０Ａにはディスプレイ部１０Ａの背面に垂直に突出するディスプレイ取付け板３０が取付けられ、壁面２には壁面２に垂直に突出する壁面取付け板２０が取付けられている。ディスプレイ取付け板３０と壁面取付け板２０とは、支軸５０と角度固定ネジ７０とによって連結される。支軸５０は、ディスプレイ取付け板３０と壁面取付け板２０とを貫通し、ディスプレイ取付け板３０が支軸５０を中心として回転自在となるように取付けられている。
【０００６】
角度固定ネジ７０はディスプレイ取付け板３０に、ディスプレイ部１０Ａの背面に垂直な方向に所定の曲率を有して延在するように設けられた長穴を貫通して壁面取付け板２０において固定されるように設けられている。従って、角度固定ネジ７０を緩めると角度固定ネジ７０が長穴内を自由に移動できるようになり、角度固定ネジ７０の移動に伴って支軸５０を軸としてディスプレイ部１０Ａの上下の角度を変更することができる。
【０００７】
なお、ディスプレイ部１０Ａが図１２に示すように下向きとなるように角度を設定した場合は、ディスプレイ部１０Ａの角部１ａが壁面２に接近するため、予めディスプレイ部１０Ａと壁面２との間には、ディスプレイ部１０Ａの可動範囲に応じた空間を設けてある。
【０００８】
次に、図１３〜図１５を用いてフラットディスプレイ装置の第３の従来例を説明する。図１３〜図１５においては、ディスプレイ部１０Ｂを取付け板３０１〜３０３によって壁面２に取付けた構成をそれぞれ示している。
【０００９】
取付け板３０１〜３０３は、ディスプレイ部１０Ｂと壁面２とのなす角度を変更できるように、それぞれディスプレイ部１０Ｂの取り付け角度が決まっており、例えば、取付け板３０１を使用した場合には、ディスプレイ部１０Ｂは壁面２と平行になり、取付け板３０２を使用した場合には、ディスプレイ部１０Ｂは壁面２に対して角度θ１で下向きとなり、取付け板３０３を使用した場合には、ディスプレイ部１０Ｂは壁面２に対して角度θ２で下向きとなる。
【００１０】
【発明が解決しようとする課題】
従来のフラットディスプレイ装置は以上説明した構成を有しており、それぞれに問題点を有していた。すなわち、図１１を用いて説明した第１の従来例では、ディスプレイ部１０の上下方向の角度を変更できなかった。また、図１２を用いて説明した第２の従来例では、ディスプレイ部１０Ａの上下方向の角度を変更するために、ディスプレイ部１０Ａと壁面２とを平行にする場合であってもディスプレイ部１０Ａと壁面２との間に所定の空間を設ける必要があり、場所を取らずに設置できるというフラットディスプレイ装置の利点を損なうものであった。
【００１１】
また、図１３〜図１５を用いて説明した第３の従来例では、ディスプレイ部１０Ｂの上下方向の角度を変更するために、ディスプレイ部１０Ｂの取り付け角度の種類に合わせて取付け板を準備しなければならないという問題があった。
【００１２】
この発明は上記のような問題点を解消するためになされたもので、ディスプレイ部の上下方向の角度の変更が可能であり、ディスプレイ部を壁面と平行にする場合には可能な限り壁面に接近して設置することが可能なフラットディスプレイ装置を提供することを目的とする。
【００１３】
【課題を解決するための手段】
本発明に係る請求項１記載のフラットディスプレイ装置は、フラット型のディスプレイ部を壁面に固定する壁掛け機構を備えたフラットディスプレイ装置であって、前記壁掛け機構は、前記ディスプレイ部の背面の上または下端縁部近傍の第１の部分を、前記ディスプレイ部が所定の横中心軸の回りに回転自在となるように前記壁面に対して保持する保持手段と、前記ディスプレイ部の背面の前記第１の部分から距離を隔てて設けられた第２の部分と前記壁面との間を所定距離を保って連結する連結手段とを備え、前記所定距離を変更することで、前記所定の横中心軸を固定点として前記ディスプレイ部の背面と前記壁面とのなす角度を変更可能とし、前記保持手段は、前記ディスプレイ部の背面に対して突出するように前記第１の部分に配設された第１の支軸保持部と、前記壁面に対して突出し、前記第１の部分に対応して配設された第２の支軸保持部と、前記第１および第２の支軸保持部を連結するとともに前記ディスプレイ部の回転の前記横中心軸となる支軸とを備え、前記連結手段は、前記ディスプレイ部の背面に対して垂直に突出するように前記第２の部分に配設された第１の連結部と、前記壁面に対して垂直に突出し、前記第２の部分に対応して配設された第２の連結部と、前記第１および第２の連結部を前記所定距離を保って連結する連結部材とを備え、前記連結部材は、各辺の長さが異なる多角形状を有し、その一辺ごとに前記第１および第２の連結部に係合する１対の係合部を有し、前記１対の係合部は、各辺の長さごとにそれぞれに合致した間隔で配設される。
【００１８】
本発明に係る請求項２記載のフラットディスプレイ装置は、前記第１の支軸保持部および前記第１の連結部が、前記ディスプレイ部の背面に取付けられるディスプレイ取付け板の一部であって、前記ディスプレイ取付け板は、前記ディスプレイ部の背面から突出するフック状の係合部に着脱可能に取付けられる。
【００２１】
【発明の実施の形態】
＜実施の形態１＞
以下、本発明に係るフラットディスプレイ装置の実施の形態１について図１〜図３を用いて説明する。
【００２２】
図１〜図３は本発明に係る実施の形態１のフラットディスプレイ装置を示す側面図であり、それぞれディスプレイ部１と壁面２とのなす角度が異なった状態を示している。
【００２３】
図１〜図３に示すように、ディスプレイ部１の背面には、垂直方向に突出し、その主面がディスプレイ部１の側面と平行になるように背面に一体で形成された支軸保持部１３（第１の支軸保持部）および連結部１４（第１の連結部）が配設されている。連結部１４はディスプレイ部１の上側（図面に対して上方）端縁部近傍の所定部分（第２の部分）に配設され、支軸保持部１３はディスプレイ部１の下側（図面に対して下方）端縁部近傍の所定部分（第１の部分）に配設されている。なお、図においては１対の支軸保持部１３および連結部１４しか示されていないが、実際にはそれぞれに平行して支軸保持部１３および連結部１４がさらに１対設けられている。
【００２４】
また、図１〜図３における壁面２には、垂直方向に突出し、その主面が支軸保持部１３の主面と向き合うように配設された支軸保持部３３（第２の支軸保持部）と、その主面が連結部１４の主面と平行するように配設された連結部３４（第２の連結部）が配設されている。支軸保持部３３および連結部３４は壁面２に固定された壁面取付け板３の一部をなし、ディスプレイ部１の背面に配設された２対の支軸保持部１３および連結部１４に対応するように２対が配設されている。そして、支軸保持部１３と支軸保持部３３とは支軸５によって連結されている。支軸５は、支軸保持部１３および３３を貫通し、支軸保持部１３が支軸５を横中心軸として回転自在となるように取付けられている。
【００２５】
なお、ディスプレイ部１はプラズマ表示面あるいは液晶表示面を有していることはもちろんであり、映像信号受信のためのチューナーを始め、映像信号処理のための機器を内部に有している。
【００２６】
そして、図１においては連結部１４および３４は細長形状の連結部材６を介して連結されている。連結部材６には、連結部１４と連結部材６とをネジ止めするネジ止め部６１（係合部）および連結部３４と連結部材６とをネジ止めするネジ止め部６２（係合部）が配設されている。ここで、ネジ止め部６１および６２は細長形状の連結部材６の長手方向の両端部に設けられ、その間隔は距離Ａとなっている。そして、距離Ａは連結部材６を用いて連結部１４および３４を連結した際に、ディスプレイ部１と壁面２とが平行になるように設定されている。
【００２７】
図２においては連結部１４および３４は細長形状の連結部材６Ａを介して連結されている。連結部材６Ａには、連結部１４と連結部材６Ａとをネジ止めするネジ止め部６１および連結部３４と連結部材６Ａとをネジ止めするネジ止め部６２が配設されている。ここで、ネジ止め部６１および６２は細長形状の連結部材６Ａの長手方向の両端部に設けられ、その間隔は距離Ｂとなっている。そして、距離Ｂは連結部材６Ａを用いて連結部１４および３４を連結した際に、ディスプレイ部１と壁面２とのなす角度が角度θ１となるように設定されているので、図１に示す連結部材６よりも長手方向が長くなっている。
【００２８】
図３においては連結部１４および３４は細長形状の連結部材６Ｂを介して連結されている。連結部材６Ｂには、連結部１４と連結部材６Ｂとをネジ止めするネジ止め部６１および連結部３４と連結部材６Ｂとをネジ止めするネジ止め部６２が配設されている。ここで、ネジ止め部６１および６２は細長形状の連結部材６Ｂの長手方向の両端部に設けられ、その間隔は距離Ｃとなっている。そして、距離Ｃは連結部材６Ｂを用いて連結部１４および３４を連結した際に、ディスプレイ部１と壁面２とのなす角度が角度θ２となるように設定されており、角度θ２は角度θ１よりも大きいので、図２に示す連結部材６Ａよりも長手方向が長くなっている。
【００２９】
なお、ネジ止め部６１および６２は例えば貫通穴であり、連結部１４および３４にネジ溝を有したネジ穴を設けておけば、ネジ止め部６１および６２の側からネジを挿入することでネジ止めできる。また、連結部１４および３４にも貫通穴を設け、ネジ止め部６１および６２の側からボルトを挿入し、連結部１４および３４の側にナットを配設してネジ止めするようにしても良い。
【００３０】
このように、長手方向の長さが異なる細長形状の連結部材６、６Ａ、６Ｂによって、ディスプレイ部１と壁面２とのなす角度を所望の角度に変更することができるので、角度変更に必要となる部材が極めて簡単な構成となり、収納場所も取らないので、多種類を準備することで種々の角度調整が可能となる。
【００３１】
また、ディスプレイ部１の回転中心となる支軸５がディスプレイ部１の下側端縁近傍に配設されることになるので、図１２を用いて説明したように支軸をディスプレイ部の中央部近傍に設ける構成に比べて、ディスプレイ部１と壁面２とを平行に配置する場合の両者の間隔を短くでき、場所を取らずに設置できるというフラットディスプレイ装置の利点を損なうことがない。
【００３２】
なお、支軸保持部１３および３３、支軸５は、ディスプレイ部１を壁面２に対して保持するので保持手段と呼称でき、連結部１４および３４、連結部材６、６Ａ、６Ｂはディスプレイ部１と壁面２とを連結するので連結手段と呼称できる。
【００３３】
＜実施の形態２＞
以上説明した本発明に係る実施の形態１においては、長手方向の長さが異なる細長形状の連結部材６、６Ａ、６Ｂを用いて、ディスプレイ部１と壁面２とのなす角度を変更する構成について説明したが、以下に説明する実施の形態２においてはディスプレイ部１と壁面２とのなす角度を１種類の連結部材で種々に変更する構成について、図４〜図７を用いて説明する。
【００３４】
図４は本発明に係る実施の形態２を構成する連結部材６Ｃを示す平面図である。連結部材６Ｃの平面視形状は略３角形をなし、各頂点部にはネジ止め部６４、６５、６６（係合部）がそれぞれ配設されている。ここで、ネジ止め部６４と６５との中心間距離は距離Ａに、ネジ止め部６５と６６との中心間距離は距離Ｂに、ネジ止め部６６と６４との中心間距離が距離Ｃとなるように配設されている。なお、本例においてネジ止め部６４〜６６は貫通穴となっている。
【００３５】
このような構成の連結部材６Ｃを用いて、ディスプレイ部１と壁面２とのなす角度を変更する構成を図５〜図７に示す。なお、図５〜図７においては図１〜図３を用いて説明した構成と同一の構成については同一の符号を付し、説明は省略する。
【００３６】
図５においては連結部１４および３４はネジ止め部６４および６５（中心間距離Ａ）を用いて連結されるように連結部材６Ｃが配設されているので、ディスプレイ部１と壁面２とは平行になっている。
【００３７】
また、図６においては連結部１４および３４はネジ止め部６５および６６（中心間距離Ｂ）を用いて連結されるように連結部材６Ｃが配設されているので、ディスプレイ部１と壁面２とのなす角度は角度θ１となっている。
【００３８】
また、図７においては連結部１４および３４はネジ止め部６６および６４（中心間距離Ｂ）を用いて連結されるように連結部材６Ｃが配設されているので、ディスプレイ部１と壁面２とのなす角度は角度θ２となっている。
【００３９】
このように、ディスプレイ部１と壁面２とのなす角度を１種類の連結部材６Ｃで種々に変更することができるので、角度変更に必要となる部材の点数を削減できる。
【００４０】
なお、以上の説明においては、連結部材６Ｃには３つのネジ止め部を設けた例を示したが、ネジ止め部の個数はこれに限定されるものではなく、また、連結部材６Ｃの形状も３角形状に限定されるものではなく、多角形状であっても良い。
【００４１】
すなわち、各辺の長さが異なる多角形状を有し、その一辺ごとに１対のネジ止め部を有し、１対のネジ止め部が、各辺の長さごとにそれぞれに合致した間隔で配設された構成であれば良い。
【００４２】
＜実施の形態３＞
以上説明した本発明に係る実施の形態１および２においては、ディスプレイ部１Ａの背面に一体形成された支軸保持部１３および連結部１４に、壁面取付け板３の一部をなす支軸保持部３３および連結部３４を連結する構成を示したが、以下に図８を用いて説明するように、支軸保持部１３および連結部１４をディスプレイ部１に一体形成しない構成、すなわちディスプレイ部１から分離可能な構成としても良い。
【００４３】
例えば、図８に示すように、ディスプレイ部１Ａの背面に支軸保持部３２３（第１の支軸保持部）および連結部３２４（第１の連結部）を有するディスプレイ取付け板３２を取付けるようにすれば良い。なお、ディスプレイ取付け板３２をディスプレイ部１Ａに取付けた場合の支軸保持部３２３および連結部３２４の位置は、実施の形態１および２において説明した支軸保持部１３および連結部１４と同じ位置となるように設定される。なお、図８においてはディスプレイ取付け板３２の左右両端面の最下部および最上部に、その主面がディスプレイ部１Ａの側面に平行するように支軸保持部３２３および連結部３２４が配設されている。
【００４４】
ディスプレイ取付け板３２は、ディスプレイ部１Ａの背面に設けられたフック状の係合部１０１に、ディスプレイ取付け板３２に設けられた矩形状の開口部３２８を係合させるとともに、ネジ７０３をディスプレイ取付け板３２に設けられた貫通穴６１１を介してディスプレイ部１Ａの背面に設けられたネジ穴１０２にねじ込むことでディスプレイ部１の背面に固定される。従って、ディスプレイ部１Ａの背面に必要となるのはフック状の係合部１０１とネジ穴１０２だけであり、これらはディスプレイ取付け板３２の取付け以外（例えばスタンドの取付けや、天井からの吊り下げ金具の取付け）にも転用できるので、支軸保持部１３および連結部１４などの壁掛け専用の構成を設ける場合に比べて汎用性がある。また、支軸保持部および連結部が構造的に強固となり、また、ディスプレイ取付け板３２を取り付けることで一義的に位置決めできるので取付けが容易となる。
【００４５】
なお、図８において壁面取付け板３および連結部材６の構成は図１を用いて説明した実施の形態１と同様であり、これらの組み立て状態を示している。
【００４６】
すなわち、連結部材６のネジ止め部６１および６２を介してネジ７１１を連結部３２４のネジ穴６１３および連結部３４のネジ穴６１５にねじ込むことで、連結部３２４および連結部３４を連結部材６により連結し、支軸保持部３２３および３３の貫通穴６１４および６１６に支軸５を挿入することにより、支軸保持部３２３および３３が連結される。なお、壁面取付け板３はその主面に設けられた複数の貫通穴６１２を介して図示しない壁面にねじ止めされる。
【００４７】
このような構成を有するフラットディスプレイ装置の側面図を図９に示す。図９に示すように実施の形態１において説明した連結部材６を用いているので、ディスプレイ部１Ａは壁面２と平行になっている。
【００４８】
なお、支軸保持部３２３および連結部３２４はディスプレイ取付け板３２の一部とせずに、支軸保持部３２３および連結部３２４を単独の構成とし、ディスプレイ部１Ａにねじ止め等で固定するような構成としても良い。
【００４９】
＜変形例＞
以上説明した実施の形態３においてはディスプレイ取付け板３２の連結部３２４と壁面取付け板３の連結部３４とを、実施の形態１において説明した連結部材６を用いて連結する構成を示したが、実施の形態２において説明した連結部材６Ｃを用いて連結しても良いことは言うまでもない。
【００５０】
図１０に連結部材６Ｃを用いた場合のフラットディスプレイ装置の側面図を示す。図１０においては連結部３２４および３４はネジ止め部６４および６５（中心間距離Ａ）を用いて連結されるように連結部材６Ｃが配設されているので、ディスプレイ部１Ａと壁面２とは平行になっている。
【００５１】
なお、以上説明した実施の形態１〜３においては、ディスプレイ部の下部端縁部に設けた支軸を固定点とし、ディスプレイ部の上部端縁部においてディスプレイ部の背面と壁面との距離を変更することで、ディスプレイ部を壁面に平行な位置から、下向きの方向の角度（俯角）を有するように変更する例について説明したが、連結部および支軸保持部の位置関係を逆転して配設すれば、ディスプレイ部を壁面に平行な位置から、上向きの方向の角度（仰角）を有するように変更することが可能となることは言うまでもない。
【００５２】
【発明の効果】
本発明に係る請求項１記載のフラットディスプレイ装置によれば、ディスプレイ部の背面の第１の部分を、ディスプレイ部が所定の横中心軸の回りに回転自在となるように壁面に対して保持し、連結手段により第２の部分と壁面との間を所定距離を保って連結するので、第２の部分と壁面との間の所定距離を変更することで、ディスプレイ部と壁面とのなす角度を所望の角度に変更することができる。例えば、第１の部分をディスプレイ部の下側端縁部近傍に設け、第２の部分をディスプレイ部の上側端縁部近傍に設けた場合、上記所定距離を変更することでディスプレイ部を下向きの方向に角度変更できる。この場合、ディスプレイ部の回転中心となる第１の部分がディスプレイ部の下側端縁近傍に配設されているので、回転中心をディスプレイ部の中央部近傍に設ける構成に比べて、ディスプレイ部と壁面とを平行に配置する場合の両者の間隔を短くでき、場所を取らずに設置できるというフラットディスプレイ装置の利点を損なうことがない。また、保持手段が第１および第２の支軸保持部と、両者を連結する支軸とで構成されているので構成が単純であり、また連結手段が第１および第２の連結部と連結部材とで構成されているので構成が単純であり、連結部材により規定される所定距離を変更するだけでディスプレイ部と壁面とのなす角度を所望の角度に変更することができるので、ディスプレイ部の角度変更が可能なコスト的に安価なフラットディスプレイ装置が得られる。また、連結部材の１対の係合部の選択を変更することで所定距離の変更が可能となるので、ディスプレイ部と壁面とのなす角度を１種類の連結部材で種々に変更することができ、角度変更に必要となる部材の点数を削減できる。
【００５７】
本発明に係る請求項２記載のフラットディスプレイ装置によれば、第１の支軸保持部および第１の連結部がディスプレイ部の背面に取付けられたディスプレイ取付け板の一部であるので、構造的に強固となり、また、ディスプレイ取付け板を取り付けることで一義的に位置決めできるので取付けが容易となる。また、ディスプレイ取付け板の取付けにフック掛けを使用することで、壁掛け機構以外の他のディスプレイ部の固定手段と兼用でき、汎用性を得ることができる。
【図面の簡単な説明】
【図１】  本発明に係る実施の形態１のフラットディスプレイ装置の構成を説明する図である。
【図２】  本発明に係る実施の形態１のフラットディスプレイ装置の構成を説明する図である。
【図３】  本発明に係る実施の形態１のフラットディスプレイ装置の構成を説明する図である。
【図４】  本発明に係る実施の形態２のフラットディスプレイ装置の部分構成を説明する図である。
【図５】  本発明に係る実施の形態２のフラットディスプレイ装置の構成を説明する図である。
【図６】  本発明に係る実施の形態２のフラットディスプレイ装置の構成を説明する図である。
【図７】  本発明に係る実施の形態２のフラットディスプレイ装置の構成を説明する図である。
【図８】  本発明に係る実施の形態３のフラットディスプレイ装置の構成を説明する分解図である。
【図９】  本発明に係る実施の形態３のフラットディスプレイ装置の構成を説明する図である。
【図１０】  本発明に係る実施の形態３の変形例のフラットディスプレイ装置の構成を説明する図である。
【図１１】  フラットディスプレイ装置の第１の従来例の構成を説明する図である。
【図１２】  フラットディスプレイ装置の第２の従来例の構成を説明する図である。
【図１３】  フラットディスプレイ装置の第３の従来例の構成を説明する図である。
【図１４】  フラットディスプレイ装置の第３の従来例の構成を説明する図である。
【図１５】  フラットディスプレイ装置の第３の従来例の構成を説明する図である。
【符号の説明】
１，１Ａ  ディスプレイ装置、３  壁面取付け板、６，６Ａ，６Ｂ，６Ｃ  連結部材、３２  ディスプレイ取付け板。
【図１】
0004037523.tif 000002
【図２】
0004037523.tif 000003
【図３】
0004037523.tif 000004
【図４】
0004037523.tif 000005
【図５】
0004037523.tif 000006
【図６】
0004037523.tif 000007
【図７】
0004037523.tif 000008
【図８】
0004037523.tif 000009
【図９】
0004037523.tif 000010
【図１０】
0004037523.tif 000011
【図１１】
0004037523.tif 000012
【図１２】
0004037523.tif 000013
【図１３】
0004037523.tif 000014
【図１４】
0004037523.tif 000015
【図１５】
0004037523.tif 000016